(57)【要約】【課題】下曲部において、ステップとスカートガードとの隙間に衣服等が引き込まれることを抑制できるエスカレータを提供することである。【解決手段】エスカレータ１０は、上階と下階との間を移動するステップ１１と、ステップ１１の左右両側に設けられたスカートガード２１と、回転軸３１がステップ１１の前後方向に延び、ステップ１１の裏側の左右両端に設けられた回転ブラシ３０と、下曲部２７において、ステップ１１の進行方向に向かって左側に位置する回転ブラシ３０を右回りに回転させ、該進行方向に向かって右側に位置する回転ブラシ３０を左回りに回転させるローラ駆動装置とを備える。ローラ駆動装置は、ラックギア４０と、ピニオンギア４１と、伝達部５０とを含んで構成されている。【選択図】図４
2013119473.tif 000002
【特許請求の範囲】
【請求項１】
上階と下階との間を移動するステップと、
ステップの左右両側に設けられたスカートガードと、
回転軸がステップの前後方向に延び、ステップ裏側の左右両端に設けられたローラと、
エスカレータが下り運転であるときに、下曲部において、ステップの進行方向に向かって左側に位置するローラを右回りに回転させ、該進行方向に向かって右側に位置するローラを左回りに回転させるローラ駆動装置と、
を備えることを特徴とするエスカレータ。
【請求項２】
請求項１に記載のエスカレータであって、
ローラ駆動装置は、
スカートガード又はトラス構造に固定されたラックギアと、
ステップ裏側に回転可能に支持され、ラックギアと噛み合って回転するピニオンギアと、
ピニオンギアの回転をローラに伝達する伝達部と、
を含んで構成されることを特徴とするエスカレータ。
【請求項３】
請求項２に記載のエスカレータであって、
ラックギアは、下曲部に隣接する傾斜部において、スカートガード又はトラス構造に固定されることを特徴とするエスカレータ。
【請求項４】
請求項１に記載のエスカレータであって、
ローラ駆動装置は、ステップの裏側に設けられ、ローラの回転軸を回転させる電動モータであることを特徴とするエスカレータ。
【請求項５】
請求項１〜４のいずれか１項に記載のエスカレータであって、
ローラは、回転軸の周りに毛材を有する回転ブラシであることを特徴とするエスカレータ。
【発明の詳細な説明】
【技術分野】
【０００１】
本発明は、エスカレータに関し、より詳しくは、下りエスカレータに関する。
【背景技術】
【０００２】
エスカレータは、隣接するステップ間に段差があり、各ステップが階段状を維持して移動する傾斜部を有する。また、エスカレータは、隣接するステップ間に段差がなくなり、各ステップの踏み板が同一平面上に並んで移動する水平部、傾斜部と水平部との境界に位置する曲部を有する。多くのエレベータでは、傾斜部が１つであり、上下の乗降口近傍の２箇所に水平部が存在する。
【０００３】
エスカレータの曲部では、隣接するステップ間において、鉛直方向に対する相対的な位置関係が変化する。下りエスカレータにおいて、下階側に位置する下曲部では、隣接するステップ間の段差が次第に小さくなるが、このとき、ステップとスカートガードとの隙間に利用者のスカートやズボンの裾が引き込まれる可能性がある。そして、かかる隙間にスカートやズボンの裾が引き込まれると（以下、引き込まれる可能性がある物を総称して「衣服等」という）、衣服等の汚損や破損に繋がる。
【０００４】
なお、本発明に関連する技術として、特許文献１には、ライザブラシがステップのライザ面に配置されたエスカレータが開示されている。
【先行技術文献】
【特許文献】
【０００５】
【特許文献１】特開２００６‐１４３４７５号公報
【発明の概要】
【発明が解決しようとする課題】
【０００６】
しかし、上記特許文献に開示された技術では、ステップとスカートガードとの隙間に衣服等が引き込まれることを抑制できない。
本発明の目的は、下曲部において、ステップとスカートガードとの隙間に衣服等が引き込まれることを抑制できるエスカレータを提供することである。
【課題を解決するための手段】
【０００７】
本発明に係るエスカレータは、上階と下階との間を移動するステップと、ステップの左右両側に設けられたスカートガードと、回転軸がステップの前後方向に延び、ステップ裏側の左右両端に設けられたローラと、エスカレータが下り運転であるときに、下曲部において、ステップの進行方向に向かって左側に位置するローラを右回りに回転させ、該進行方向に向かって右側に位置するローラを左回りに回転させるローラ駆動装置とを備えることを特徴とする。
当該構成によれば、下曲部におけるローラの回転によって、ステップとスカートガードとの隙間に進入しようとする衣服等を押し出すことができる。
【０００８】
また、ローラ駆動装置は、スカートガード又はトラス構造に固定されたラックギアと、ステップ裏側に回転可能に支持され、ラックギアと噛み合って回転するピニオンギアと、ピニオンギアの回転をローラに伝達する伝達部とを含んで構成されることが好適である。
当該構成によれば、ステップと共に移動するピニオンギアがラックギアと噛み合って回転し、その回転が伝達部を介してローラに伝達される。つまり、ステップの移動を利用してローラを回転させることができる。
【０００９】
また、ラックギアは、下曲部に隣接する傾斜部において、スカートガード又はトラス構造に固定されることが好適である。特に、下曲部に隣接する傾斜部のみにラックギアを設けることが好ましい。
当該構成によれば、下曲部に隣接する傾斜部にラックギアを設けることによって、ステップが下曲部を通過する直前にローラを回転させ、下曲部を通過するまでローラの回転を維持することができる。一方、下曲部以外では衣服等が引き込まれることがないため、下曲部に隣接する傾斜部以外にラックギアを設けないことで、無駄な動力の使用や部品の摩耗を防止することができる。
【００１０】
また、ローラ駆動装置として、ステップの裏側に設けられ、ローラの回転軸を回転させる電動モータを用いることができる。
当該構成によれば、ローラの駆動機構を単純化できる。当該構成は、例えば、ステップ数が少ないエスカレータに好適である。
【００１１】
また、ローラは、回転軸の周りに毛材を有する回転ブラシであることが好ましい。
当該構成によれば、ステップとスカートガードとの隙間に進入しようとする衣服等をより押し出し易くなる。
【発明の効果】
【００１２】
本発明に係るエスカレータによれば、下曲部におけるローラの回転によって、ステップとスカートガードとの隙間に衣服等が引き込まれることを抑制できる。これにより、下曲部での引き込みに起因する衣服等の汚損や破損を防ぐことができる。
【図面の簡単な説明】
【００１３】
【図１】本発明の実施形態であるエスカレータを示す図であって、下曲部及びその近傍を拡大して示す。
【図２】本発明の実施形態であるエスカレータのステップ及びスカートガードを抜き出して示す図であって、ステップを上方から見た様子を示す。
【図３】本発明の実施形態であるエスカレータのローラを示す図であって、ローラの回転軸の一端側から見た様子を示す。
【図４】本発明の実施形態であるエスカレータのローラ駆動装置を説明するための図であって、ステップを移動方向後側から見た様子を示す。
【図５】本発明の実施形態であるエスカレータのローラ駆動装置を説明するための図であって、ステップを移動方向右側から見た様子を示す。
【図６】本発明の実施形態であるエスカレータのローラ駆動装置を説明するための図であって、ラックギア及びピニオンギアを抜き出して示す。
【図７】本発明の実施形態であるエスカレータの変形例を示す図である。
【発明を実施するための形態】
【００１４】
以下、図面を参照しながら、本発明の実施形態について詳細に説明する。
実施形態では、傾斜部２５、下曲部２７がいずれも１つであるエスカレータ１０を例示するが、本発明の適用はこれに限定されない。本発明は、例えば、中間部分に水平部２６があり、複数の下曲部２７を有するエスカレータにも適用できる。
【００１５】
また、エスカレータ１０は、利用者から見えるステップ１１が上階から下階に移動する下りエスカレータとして説明する。
また、以下では、利用者から見えるステップ１１の進行方向を用いて、ステップ１１の前後左右を規定する。ステップ１１の方向について、単に前後左右という場合があるが、これは、特段の事情がない限り利用者から見えるステップ１１の進行方向に向かって前後左右を意味する。
【００１６】
図１〜図６を参照しながら、エスカレータ１０の構成を説明する。
エスカレータ１０は、複数のステップ１１が上階と下階との間を移動する昇降装置である。ステップ１１の左右両側には、欄干１２が設けられており、欄干１２には、ステップ１１と連動して動く移動手摺１３が移動可能に取り付けられている。また、エスカレータ１０は、その全体の動作を統合的に制御する図示しない制御装置を備える。
【００１７】
ステップ１１は、無端状のステップチェーンに取り付けられている。ステップチェーンは、例えば、上下の機械室に設けられた各スプロケットに架け渡されており、電動機によりスプロケットが回転させられることで各スプロケットの間を回る。これにより、ステップチェーンで連結された複数のステップ１１が上階側の乗降口と下階側の乗降口１４との間を循環する。
【００１８】
ステップ１１は、踏み板１５と、ライザ１６と、図示しないステップ軸等が取り付けられるフレーム１７とを有する。踏み板１５は、利用者が載る部分であって、利用者が見える部分、即ち上階側の乗降口から下階側の乗降口１４まで水平に維持される。ライザ１６は、踏み板１５の前端から下方に延び、緩やかに後方に反った湾曲形状を呈する。ライザ１６は、隣接するステップ１１間に段差があるときに、ステップ１１間の隙間を塞ぐ。
【００１９】
欄干１２は、ステップ１１の左右両側に設けられた側壁である。欄干１２は、例えば、図示しない欄干フレームと、ガラス製、プラスチック製、又はステンレス製等の欄干パネル１８とを有する。図４に例示する欄干パネル１８は、欄干フレーム又はトラス構造２８に固定されたアングル１９上に載せられた状態で、飾り金２０によりステップ１１側から押え付けられている。
【００２０】
欄干１２には、ステップ１１と欄干パネル１８との隙間を塞ぐスカートガード２１が設けられている。図４に例示する形態では、スカートガード２１が飾り金２０に押え付けられ、ビス２２により飾り金２０と共にアングル１９に固定されている。なお、ステップ１１とスカートガード２１との間には、互いの接触を防止するために隙間Ｓが設けられている。
【００２１】
上記のように、エスカレータ１０は、隣接するステップ１１間に段差があり、各ステップ１１が階段状を維持して移動する傾斜部２５と、隣接するステップ１１間に段差がなくなり、各ステップ１１の踏み板１５が同一平面上に並んで移動する水平部２６と、傾斜部２５と水平部２６との境界に位置する曲部とを有する。なお、曲部のうち下階側に位置する曲部が下曲部２７である。
【００２２】
さらに、エスカレータ１０は、ステップ１１の裏側の左右両端に設けられたローラと、ローラ駆動装置とを備える。ローラ駆動装置は、エスカレータ１０が下り運転であるときに、下曲部２７において、ステップ１１の進行方向に向かって左側に位置するローラを右回りに回転させ、該進行方向に向かって右側に位置するローラを左回りに回転させる。
【００２３】
エスカレータ１０では、ローラとして、ステップ１１の前後方向に延びた回転軸３１を有する回転ブラシ３０を用いる。また、ローラ駆動装置は、スカートガード２１又はトラス構造２８に固定されたラックギア４０と、ステップ１１と共に移動するピニオンギア４１及び伝達部５０とを含んで構成される。なお、トラス構造２８とは、エスカレータ１０の骨格をなす構造部分を意味し、欄干フレームやトラスフレームが含まれる。
【００２４】
回転ブラシ３０は、下曲部２７において、隙間Ｓに進入しようとする衣服等を押し出すように回転する。ゆえに、回転ブラシ３０は、ステップ１１の裏側の左右両端において、隙間Ｓに進入しようとする衣服等に触れ易いように、ステップ１１から隙間Ｓにはみ出して設けられることが好適である。また、回転ブラシ３０は、踏み板１５の裏面に近接した位置に設けられることが好適である。ステップ１１の移動、及び回転ブラシ３０の回転に支障がなければ、スカートガード２１に回転ブラシ３０が接触してもよい。
【００２５】
回転ブラシ３０は、回転軸３１と、回転軸３１の周りに設けられた毛材３２とを有している。回転軸３１は、踏み板１５の前後方向に対して略平行に配置され、踏み板１５の前後方向長さの５０％を超える軸長を有することが好適である。回転軸３１の一端は、伝達部５０との接続部であって、当該接続部には、伝達部５０から回転力を受容するための傘歯車３３が取り付けられている。また、回転軸３１は、軸支部３４によって踏み板１５の裏面に回転可能に取り付けられている。毛材３２としては、例えば、化学繊維や動物繊維、植物繊維、金属繊維などを適用できる。これらのうち、ナイロンやポリプロピレン等の化学繊維が特に好適である。なお、回転ブラシ３０は、毛材３２が隙間Ｓにはみ出すように設けられることが好適である。
【００２６】
ラックギア４０は、スカートガード２１又はトラス構造２８に固定されている。図４に例示する形態では、スカートガード２１の下方に位置するトラス構造２８にラックギア４０が固定されている。ラックギア４０は、ステップ１１の左右両側において、ギアの歯がステップ１１側を向くように設けられている。
【００２７】
ラックギア４０は、傾斜部２５から水平部２６に亘る広範囲に設けられてもよいが、図１に例示するように、下曲部２７に隣接する傾斜部２５のみに設けられることが好ましい。下曲部２７に隣接する傾斜部２５とは、例えば、下曲部２７の直前に位置する傾斜部２５を意味し、下曲部２７の上端から０．５ｍ〜５ｍ程度の範囲に位置する傾斜部２５とすることが好適である。ラックギア４０は、真っ直ぐに延びた形状を有し、傾斜部２５の傾斜角度に合わせて設けられる。これにより、ラックギア４０とピニオンギア４１とが容易に噛み合う。
【００２８】
ピニオンギア４１は、ステップ１１の裏側に回転可能に取り付けられ、ステップ１１と共に移動する。そして、ピニオンギア４１は、ステップ１１が下曲部２７に隣接する傾斜部２５を通過するときに、ラックギア４０と噛み合って回転するように構成されている。ピニオンギア４１は、ラックギア４０の傾斜角度に合わせて、且つラックギア４０と同じ高さ、即ちスカートガード２１よりも下方に配置される。このため、踏み板１５の裏面に近接して配置される回転ブラシ３０に対して、ピニオンギア４１の回転を伝達する部材（伝達部５０）が必要となる。なお、ラックギア４０及びピニオンギア４１の形態は、互いと噛み合ってピニオンギア４１が回転するものであれば特に限定されない。
【００２９】
伝達部５０は、ピニオンギア４１の回転を回転ブラシ３０に伝達して、回転ブラシ３０を回転させるための部材である。伝達部５０は、一端がピニオンギア４１に接続された回転軸５１と、回転軸５１の他端に取り付けられた傘歯車５２と、回転軸５１を回転可能に支持する軸支部５３とを有する。なお、伝達部５０では、回転軸５１の軸長やステップ１１に対する位置は変動しない。
【００３０】
回転軸５１は、ピニオンギア４１の回転軸に沿って設けられ、ピニオンギア４１と回転ブラシ３０との距離に対応する軸長を有する。また、回転軸５１は、ラックギア４０に対して略垂直に設けられており、回転ブラシ３０の回転軸３１との間になす角度は鈍角となる。そして、回転軸３１の傘歯車３３と、回転軸５１の傘歯車５２とが噛み合うように構成されている。回転軸３１，５１は、傘歯車３３，５２によって、回転軸５１の回転を回転軸３１に伝達することができる。
【００３１】
ここで、上記構成を備えるエスカレータ１０の動作について説明する。
下り運転中のエスカレータ１０では、利用者から見えるステップ１１が上階から下階に向かって移動している。この場合、下曲部２７では、隣接するステップ１１間の段差が次第に小さくなる。このとき、ステップ１１とスカートガード２１との隙間Ｓに衣服等が引き込まれる場合がある。
【００３２】
エスカレータ１０では、下曲部２７において、ステップ１１の裏側の左右両端にある回転ブラシ３０が、隙間Ｓに進入しようとする衣服等を押し出す方向に回転している。これにより、衣服等は隙間Ｓに引き込まれることなく隙間Ｓの入口で押し出される。したがって、下曲部２７での引き込みに起因する衣服等の汚損や破損を防ぐことができる。
【００３３】
なお、回転ブラシ３０は、ステップ１１が下曲部２７に隣接する傾斜部２５を通過するときに、トラス構造２８に固定されたラックギア４０に、ピニオンギア４１が噛み合って回転し、その回転が伝達部５０を介して回転ブラシ３０に伝達されることで回転する。回転ブラシ３０の回転は、ステップ１１が下曲部２７を通過するまで維持される。
【００３４】
より詳しくは、ステップ１１の左端に設けられた回転ブラシ３０は、ステップ１１の進行方向に向かって右回り（時計回り）に回転し、ステップ１１の右端に設けられた回転ブラシ３０は、該進行方向に向かって左回り（反時計回り）に回転する。図６に示すように、ピニオンギア４１を上方から見ると、ステップ１１の移動により、左側のピニオンギア４１は右回りに、右側のピニオンギア４１は左回りにそれぞれ回転する。ピニオンギア４１に接続された回転軸５１も同様に、左側の回転軸５１は右回りに、右側の回転軸５１は左回りにそれぞれ回転する。回転軸５１は、傘歯車５２，３３を介して直接回転ブラシ３０の回転軸３１に接続されているため、回転ブラシ３０の上記回転が実現できる。
【００３５】
なお、上記実施形態は、本発明の目的を行なわない範囲で適宜設計変更できる。
以下に、設計変更の例（変形例）を示す。
【００３６】
図７に示すように、ローラ駆動装置として、回転ブラシ３０の回転軸３１を回転させる電動モータ６０を各ステップ１１に搭載してもよい。電動モータ６０は、ステップ１１の裏側において、踏み板１５の裏面やフレーム１７に固定することができる。この場合、電動モータ６０の電源として、各ステップ１１にバッテリを搭載してもよい。或いは、幾つかのステップ１１のみにバッテリを搭載して、当該バッテリから各ステップ１１の電動モータ６０までリード線を延ばしてもよい。また、この場合、上記制御装置の機能により、電動モータ６０を駆動させる範囲を各ステップ１１が下曲部２７を通過するときに限定することが好適である。これにより、下曲部２７のみにおいて回転ブラシ３０を回転させることができ、省エネ等に寄与する。
【００３７】
また、ローラは、回転ブラシ３０に限定されず、例えば、突起のあるローラやゴム製のローラ等を用いることもできる。
【符号の説明】
【００３８】
１０  エスカレータ、１１  ステップ、１２  欄干、１３  移動手摺、１４  乗降口、１５  踏み板、１６  ライザ、１７  フレーム、１８  欄干パネル、１９  アングル、２０  飾り金、２１  スカートガード、２２  ビス、２５  傾斜部、２６  水平部、２７  下曲部、２８  トラス構造、３０  回転ブラシ、３１，５１  回転軸、３２  毛材、３３，５２  傘歯車、３４，５３  軸支部、４０  ラックギア、４１  ピニオンギア、５０  伝達部、６０  電動モータ。
【図１】
2013119473.tif 000003
【図２】
2013119473.tif 000004
【図３】
2013119473.tif 000005
【図４】
2013119473.tif 000006
【図５】
2013119473.tif 000007
【図６】
2013119473.tif 000008
【図７】
2013119473.tif 000009